(57)【要約】【課題】電源プラグを回動させることで収納溝から電源プラグを引き起こす構造のＡＣアダプタにおいて、電源プラグが本体ケースの内側に潜り込むことによる本体ケースの変形や破損を防ぎ、本体ケースの耐破壊強度を向上できるＡＣアダプタを提供することを目的とする。【解決手段】電源プラグ２１のモールド部２３に本体ケース１１の側面部１５と接触させるためのツバ２４を設けることとした。【選択図】  図２
2004362871.tif 000002
【特許請求の範囲】
【請求項１】
ＡＣ商用電源と接続するためのダイレクトプラグインタイプの電源プラグを備え、前記ＡＣ商用電源と未接続時には電源プラグを回動させることにより、前記電源プラグを本体ケースの外表面に出っ張らないように収納できることを特徴とするＡＣアダプタであり、前記電源プラグのモールド部に本体ケースの側面部と接触するためのツバが配設されていることを特徴とするＡＣアダプタ。
【請求項２】
前記ＡＣアダプタにおいて、前記電源プラグを前記本体ケースに対して水平の位置に回動させ、前記ツバが前記本体ケースに接触する位置に配設された状態で、前記電源プラグを水平の位置から更に回動させようとする力が加わった時に、前記電源プラグが前記本体ケースの内側に潜り込まないようにする為のツバが配設されていることを特徴とする請求項１記載のＡＣアダプタ。
【発明の詳細な説明】
【０００１】
【発明の属する技術分野】
本発明は携帯型電子機器等に電源を供給するダイレクトプラグインタイプの電源プラグを備えた、ＡＣアダプタに関するものである。
【０００２】
【従来の技術】
携帯型電子機器等に電源を供給するＡＣアダプタにおいて、その多くが、携帯性を確保・向上するために、ＡＣ商用電源との接続をダイレクトプラグインタイプの電源プラグによって行なっている。
【０００３】
しかしながら、ＡＣ商用電源との接続を行なわない時には、一部に鋭利な部分もある角張った金属製の栓刃（接続端子）が機器本体の外郭面から突出していると、携帯に不具合であった。
【０００４】
上記の課題を解決するために、従来図４に示されるように、機器本体３１に栓刃収納溝３３を配設し、電源プラグ３２を使用しない時には、機器本体３１に配設された栓刃収納溝３３に電源プラグ３２を収納できるような構造になっており、電源プラグ３２を収納状態から引き起こす際は、電源プラグ３２を回動させて引き起こすものが知られている（例えば特許文献１参照）。
【０００５】
【特許文献１】
実開平０６−８８１９６号公報（第８頁）
【０００６】
【発明が解決しようとする課題】
しかしながら、上記前述した従来技術において、電源プラグに対して水平状態以上に回動させようとする力が加わった場合、電源プラグのモールド部が本体ケースの内側に潜り込む状態になり、本体ケースに異常な力が加わることによる本体ケースの変形や破損の要因となるという課題があった。本発明は、この様な課題を解決するものであり、電源プラグ、及び本体ケースに異常な力が加わった場合の耐破壊強度を向上したＡＣアダプタを提供することを目的とする。
【０００７】
【課題を解決するための手段】
前述した課題を解決するために、本発明のＡＣアダプタは、ＡＣアダプタ本体に配設された収納溝に収納されている電源プラグを回動させることで、収納溝から電源プラグを引き起こし、その電源プラグが収納状態から水平の状態まで回動できる構造のＡＣアダプタとし、電源プラグを水平の状態まで回動させた状態で、電源プラグ、及び本体ケースに異常な力が加わった場合に、電源プラグのモールド部が本体ケースの内側に潜り込むことを防止するために、電源プラグのモールド部に本体ケースの側面と接触させるためのツバを配設していることを特徴とする。
【０００８】
これにより電源プラグが本体ケースの内部に入り込むことを防止でき、本体ケースの耐破壊強度の向上を実現したＡＣアダプタを提供することができる。
【０００９】
【発明の実施の形態】
以下、本発明の実施形態について、図面を参照して説明する。
【００１０】
本発明の一実施例であるＡＣアダプタ１０は、本体ケース１１と、ＡＣアダプタに入力電源を供給するための電源プラグ２１と、入力電源を所定の電圧、電流に変換する回路を構成した基板１２と、前記本体ケースから引き出される出力コード１３で構成されている。
【００１１】
また図３に示されるように、本体ケース１１には、電源プラグ２１を回動させた時に電源プラグ２１の栓刃２２が収納できるように栓刃２２の位置に対応した位置に収納溝１４が配設されており、ＡＣアダプタ１０を使用しない時には、電源プラグ２１を回動させて栓刃２２を収納溝１４に収納することができるようになっている。またＡＣアダプタを使用している時には電源プラグ２１を回動させて、栓刃２２を外側に向けて収納状態から水平状態の範囲で、自在に回動させることができるようになっている。
【００１２】
さらに電源プラグ２１のモールド部２３にはツバ２４が配設されており、電源プラグ２１を水平の状態に回動させた時に、本体ケース１１の側面部１５と、ツバ２４が接触し、固定されるようになっている。
【００１３】
これにより電源プラグ２１が、水平状態以上に回動しなくなるので、電源プラグ２１のモールド部２３が本体ケース１１の内側へ潜り込んでしまうことを防止できる。
【００１４】
さらに、電源プラグ２１の栓刃２２がＡＣ商用電源に差しこまれた状態の時に、栓刃２２にＡＣアダプタ１０の外郭面から指などが触れて感電しないようにするために、ツバ２４の長さは栓刃２２に対して４ｍｍ以上の間隙を確保するように配設されることが望ましい。また、ツバ２４が配設されることで、感電に対する安全性をも向上することが可能となる。
【００１５】
このように、電源プラグ２１を水平状態に回動させた状態で、モールド部２３のツバ２４を本体ケース１１の側面１５に接触するように配設することで、電源プラグ２１に水平状態から、さらに回転しようとする力が加わった時にも、電源プラグ２１が本体ケース１１の側面１５に当たって、本体ケース１１の内側への潜り込みを防ぎ、本体ケース１１の変形や破損などを防ぐことができるＡＣアダプタを提供できる。
【００１６】
【発明の効果】
上記、実施の形態における説明から明らかなように、本発明によれば、電源プラグのモールド部にツバを配設することで、電源プラグのモールド部の本体ケース内側への潜り込みを防ぎ、本体ケースの変形及び破損を防ぐことができ、さらには、指などが電源プラグの栓刃に接触することによる感電に対する安全性をも向上できるＡＣアダプタを提供することが可能となる。
【００１７】
以上、実施例について説明したが、本発明はこのような実施例に限定されるものではない。例えば電源プラグを回動する機構を有する機器においても適用されるものである。
【図面の簡単な説明】
【図１】本発明の一実施例であるＡＣアダプタの斜視図
【図２】本発明の一実施例であるＡＣアダプタのＡ−Ａ断面図
【図３】本発明の一実施例であるＡＣアダプタの電源プラグの回動範囲を示す図
【図４】従来の電源プラグの斜視図
【符号の説明】
１０  ＡＣアダプタ
１１  本体ケース
１２  基板
１３  出力コード
１４  収納溝
１５  側面
２１  電源プラグ
２２  栓刃
２３  モールド部
２４  ツバ
３１  機器本体
３２  電源プラグ
３３  栓刃収納溝
【図１】
2004362871.tif 000003
【図２】
2004362871.tif 000004
【図３】
2004362871.tif 000005
【図４】
2004362871.tif 000006